(57)【要約】【課題】表示体の実際の温度に応じて各発光素子を適切に制御する。【解決手段】表示体１０は、電気エネルギの供給によって発光する複数の発光素子Ｐを具備する。駆動回路２０は、画像データに応じた電気エネルギを単位期間Ｆ毎に各発光素子Ｐに供給する。第１温度センサ５１は、表示体１０に設置されて温度Ｔ1を検出する。第２温度センサ５２は、表示体１０の背面側の回路基板４０に設置されて温度Ｔ2を検出する。制御回路３０は、温度Ｔ1が温度Ｔ2よりも高温で温度Ｔ1と温度Ｔ2との差分値ΔＴが閾値ＴＨを上回る場合に、画像データに応じて単位期間Ｆ内に各発光素子Ｐに供給される電気エネルギが、差分値ΔＴが閾値ＴＨを下回る場合と比較して減少するように、駆動回路２０を制御する。【選択図】図３
2009025334.tif 000002
【特許請求の範囲】
【請求項１】
電気エネルギの供給によって発光する複数の発光素子が配列する表示体と、
画像データに応じた電気エネルギを単位期間毎に前記各発光素子に供給する駆動回路と、
前記表示体に設置されて第１温度を検出する第１温度センサと、
前記表示体とは別の部材に設置されて第２温度を検出する第２温度センサと、
前記第１温度が前記第２温度よりも高温で前記第１温度と前記第２温度との差分値が閾値を上回る場合に、前記画像データに応じて前記単位期間内に前記各発光素子に供給される電気エネルギが、前記差分値が前記閾値を下回る場合と比較して減少するように、前記駆動回路を制御する制御回路と
を具備する発光装置。
【請求項２】
前記制御回路は、前記第１温度が高いほど、前記画像データに応じて前記単位期間内に前記各発光素子に供給される電気エネルギが減少するように、前記駆動回路を制御する
請求項１の発光装置。
【請求項３】
前記制御回路は、前記第１温度が所定値を上回る場合に前記各発光素子に供給される電気エネルギがゼロとなるように、前記駆動回路を制御する
請求項１の発光装置。
【請求項４】
前記制御回路は、前記駆動回路が各発光素子に供給する駆動電流のパルス幅および電流値の少なくとも一方を制御する
請求項１から請求項３の何れかの発光装置。
【請求項５】
前記制御回路が実装された回路基板を具備し、
前記第２温度センサは、前記回路基板の表面に設置される
請求項１または請求項２の発光装置。
【請求項６】
請求項１から請求項５の何れかの発光装置を具備する電子機器。
【請求項７】
電気エネルギの供給によって発光する複数の発光素子が配列する表示体と、画像データに応じた電気エネルギを単位期間毎に前記各発光素子に供給する駆動回路とを具備する発光装置を制御する方法であって、
前記表示体に配置された第１温度センサによって第１温度を検出し、
前記表示体とは別の部材に設置された第２温度センサによって第２温度を検出し、
前記第１温度が前記第２温度よりも高温で前記第１温度と前記第２温度との差分値が閾値を上回る場合に、前記画像データに応じて前記単位期間内に前記各発光素子に供給される電気エネルギが、前記差分値が前記閾値を下回る場合と比較して減少するように、前記駆動回路を制御する
発光装置の制御方法。
【発明の詳細な説明】
【技術分野】
【０００１】
本発明は、有機ＥＬ（Electroluminescence）素子などの発光素子を制御する技術に関する。
【背景技術】
【０００２】
温度に応じた各発光素子の特性（例えば発光効率）の変化を補償するための各種の技術が従来から提案されている。例えば特許文献１には、有機ＥＬパネルの表面に設置された温度センサが検出した温度に応じて各発光素子の駆動の態様を制御する技術が開示されている。
【特許文献１】特開２００６−２５１６０１号公報
【発明の開示】
【発明が解決しようとする課題】
【０００３】
ところで、有機ＥＬパネルの表面に温度センサを設置する構成のもとでは温度センサの位置や設置の方法に関して様々な制約があるから、高精度に温度を測定し得る温度センサを設置することは困難である。一方、有機ＥＬパネルから離間した位置（例えば回路基板の表面）ならば配置上の制約も少ないから、高精度な温度センサを設置することが可能である。しかし、温度センサが有機ＥＬパネルから離間するため、有機ＥＬパネルの実際の温度と温度センサが検出した温度との差異（誤差）が過大となる場合がある。すなわち、有機ＥＬパネルの表面および有機ＥＬパネルから離間した位置の何れに温度センサを設置した場合にも、実際の有機ＥＬパネルの温度に応じて各発光素子を適切に制御することは困難である。以上の事情に鑑みて、本発明は、有機ＥＬパネルなどの表示体の実際の温度に応じて各発光素子を適切に制御するという課題の解決をひとつの目的としている。
【課題を解決するための手段】
【０００４】
以上の課題を解決するために、本発明に係る発光装置は、電気エネルギの供給によって発光する複数の発光素子が配列する表示体と、画像データに応じた電気エネルギを単位期間毎に各発光素子に供給する駆動回路と、表示体に設置されて第１温度（例えば図１の温度Ｔ1）を検出する第１温度センサと、表示体とは別の部材に設置されて第２温度（例えば図１の温度Ｔ2）を検出する第２温度センサと、第１温度が第２温度よりも高温で第１温度と第２温度との差分値が閾値を上回る場合（例えば図３の関係Ｒ2）に、画像データに応じて単位期間内に各発光素子に供給される電気エネルギが、差分値が閾値を下回る場合（例えば図３の関係Ｒ1）と比較して減少するように、駆動回路を制御する制御回路とを具備する。
【０００５】
本発明においては、表示体側の第１温度センサが検出した第１温度と表示体とは別の部材に設置された第２温度センサが検出した第２温度との差分値に基づいて各発光素子に供給される電気エネルギが制御されるから、第１温度センサおよび第２温度センサの一方のみを利用して各発光素子を制御する構成と比較して各発光素子を適切に制御することが可能となる。発光装置は、各種の電子機器の表示装置として利用される。なお、制御回路は、例えば、駆動回路が各発光素子に供給する駆動電流のパルス幅および電流値の少なくとも一方を制御する。
【０００６】
本発明の好適な態様において、制御回路は、第１温度が高いほど、画像データに応じて単位期間内に各発光素子に供給される電気エネルギが減少するように、駆動回路を制御する。発光素子が高温であるほど発光効率は上昇するから、第１温度が高いほど電気エネルギを減少させる本態様によれば、高温時と低温時とで画像の明度を均一化することが可能である。
【０００７】
本発明の好適な態様において、制御回路は、第１温度が所定値を上回る場合に各発光素子に供給される電気エネルギがゼロとなるように、駆動回路を制御する。以上の態様によれば、第１温度が所定値を上回る場合に各発光素子に供給される電気エネルギがゼロに設定されるから、表示体が過度に高温となる事態を回避することができる。円偏光板などの光学体は加熱によって特性（位相差や偏光度）が変化するから、表示体の観察側の表面に円偏光板が貼着された構成に本発明は有効である。
【０００８】
本発明の好適な態様に係る発光装置は、制御回路が実装された回路基板を具備し、第２温度センサは、回路基板の表面に設置される。本態様によれば、高精度の第２温度センサを利用することが可能である。なお、熱伝導率の高い多数の配線が形成された回路基板は放熱性が高いから、第２温度センサが回路基板に設置された構成においては表示体と回路基板との温度差が格別に顕著となる。したがって、第２温度センサのみに基づいて発光素子の電気エネルギを制御する構成とすれば、実際の表示体の温度に応じた適切な制御が困難となる。本形態によれば、第１温度センサおよび第２温度センサの双方を利用して発光素子が制御されるから、第２温度センサが回路基板に設置された構成にも拘わらず各発光素子を適切に制御することができる。
【０００９】
本発明は、以上の各態様に係る発光装置を制御する方法としても特定される。本発明に係る発光装置の制御方法においては、表示体に配置された第１温度センサによって第１温度を検出し、表示体とは別の部材に設置された第２温度センサによって第２温度を検出し、第１温度が第２温度よりも高温で第１温度と第２温度との差分値が閾値を上回る場合に、画像データに応じて単位期間内に各発光素子に供給される電気エネルギが、差分値が閾値を下回る場合と比較して減少するように、駆動回路を制御する。以上の方法によっても、本発明に係る発光装置と同様の作用および効果が奏される。
【発明を実施するための最良の形態】
【００１０】
＜Ａ：発光装置＞
図１は、本発明の実施の形態に係る発光装置の構成を示すブロック図である。同図に示すように、発光装置１００は、画像を表示する表示体１０と、表示体１０を駆動する駆動回路２０と、駆動回路２０を制御する制御回路３０とを具備する。
【００１１】
表示体１０は、複数の発光素子Ｐを基板１２の表面に行列状に配列した構成の表示パネルである。各発光素子Ｐは、相互に対向する陽極と陰極との間に有機ＥＬ材料の発光層が介在する有機発光ダイオード素子である。表示体１０の観察側の表面（例えば各発光素子Ｐを封止する封止板の表面）には円偏光板１４が貼着される。円偏光板１４は、観察側から入射して表示体１０の内部で反射した外光の観察側への出射を抑制する。
【００１２】
駆動回路２０は、例えば集積回路として表示体１０の基板１２に実装される。図１に示すように、駆動回路２０は、単位期間Ｆ毎に各発光素子Ｐを行単位で順次に選択する選択回路２２（走査線駆動回路）と、選択回路２２による選択行の発光素子Ｐにデータ信号を供給することで各発光素子Ｐを発光させる信号供給回路２４（データ線駆動回路）とを具備する。単位期間Ｆは、例えばフレーム期間である。
【００１３】
図２は、駆動回路２０による制御の結果として単位期間Ｆ内に各発光素子Ｐに供給される電流（以下「駆動電流」という）ＩDRの波形を示すタイミングチャートである。同図に示すように、駆動電流ＩDRは、単位期間Ｆ（時間長ｔF）内の２個の発光期間ＰL（各時間長ｔL）にて電流値Ａに設定され、各発光期間ＰL以外の期間にて電流値がゼロに設定される。発光素子Ｐは、電流値Ａの電流が供給されることで発光する。
【００１４】
電流値Ａは、画像を構成する各画素の階調を指定する画像データに応じて可変に制御される。例えば、画像データの指定する階調値が高いほど電流値Ａは上昇する。一方、デューティ比Ｄ（%）は、単位期間Ｆの時間長ｔFに対する２個の発光期間ＰLの時間長の総和２ｔLの相対比（Ｄ＝２ｔL／ｔF×100）と定義される。単位期間Ｆ内に各発光素子Ｐに供給される電気エネルギ（さらには電気エネルギの供給による発光量）は、駆動電流ＩDRの電流値Ａとデューティ比Ｄとに応じて可変に制御される。
【００１５】
図１の制御回路３０は、回路基板４０の表面に集積回路として実装される。回路基板４０は、表示体１０の背面側に配置される。回路基板４０と表示体１０の基板１２とに接合された可撓性の配線基板（図示略）を介して駆動回路２０と制御回路３０とは電気的に接続される。制御回路３０は、同期信号や各種の制御信号を供給することで駆動回路２０を制御する。なお、回路基板４０の表面には、画像データに各種の処理を実行して駆動回路２０に出力する画像処理回路や、表示体１０および駆動回路２０に電源を供給する電源回路が実際には配置されるが、図１では図示を便宜的に省略する。
【００１６】
図１に示すように、表示体１０の基板１２の表面には第１温度センサ５１が設置される。第１温度センサ５１は、表示体１０の周囲の温度Ｔ1を検出するための素子である。一方、回路基板４０の表面（すなわち表示体１０から離間した位置）には第２温度センサ５２が設置される。第２温度センサ５２は、回路基板４０の周囲の温度Ｔ2を検出するための素子である。周囲の温度に応じて抵抗が変化する抵抗体が第１温度センサ５１や第２温度センサ５２として好適に採用される。
【００１７】
図１に示すように、制御回路３０は、演算部３２と判定部３４とを含む。演算部３２は、温度Ｔ1と温度Ｔ2との差分値ΔＴ（ΔＴ＝Ｔ1−Ｔ2）を算定する。判定部３４は、差分値ΔＴと所定の閾値ＴＨとの大小を判定する。閾値ＴＨは、例えば５℃程度に設定される。制御回路３０は、第１に、各発光素子Ｐに供給される電気エネルギが温度Ｔ1に応じて変化するように、第２に、温度Ｔ1と各発光素子Ｐに供給される電気エネルギとの関係が判定部３４による判定の結果に応じて変化するように、駆動回路２０を制御する。以上の制御について詳述すると以下の通りである。
【００１８】
図３は、第１温度センサ５１が検出した温度Ｔ1と各発光素子Ｐに供給される駆動電流ＩDRのデューティ比Ｄとの関係を示す概念図である。同図の関係Ｒ1は、差分値ΔＴが閾値ＴＨ以下である場合の温度Ｔ1とデューティ比Ｄとの関係を示し、関係Ｒ2は、差分値ΔＴが閾値ＴＨを上回る場合の温度Ｔ1とデューティ比Ｄとの関係を示す。
【００１９】
図３に示すように、制御回路３０は、差分値ΔＴが閾値ＴＨ以下である場合（関係Ｒ1）および閾値ＴＨを上回る場合（関係Ｒ2）の何れにおいても、温度Ｔ1が上昇するほど駆動電流ＩDRのデューティ比Ｄが段階的に低下する（すなわち各発光素子ＰLの時間長ｔLが短くなる）ように駆動回路２０を制御する。したがって、単位期間Ｆ内に各発光素子Ｐに供給される電気エネルギ（さらには各発光素子Ｐの発光量）は、同じ階調が指定された場合であっても温度Ｔ1が高いほど減少する。
【００２０】
表示体１０の温度Ｔ1が高いほど発光素子Ｐの発光効率（所定の電流が供給されたときの発光素子Ｐの輝度）は上昇するから、駆動電流ＩDRのデューティ比Ｄが固定された構成においては、温度Ｔ1が高いほど画像の明度が高くなる。本形態では温度Ｔ1が高いほどデューティ比Ｄが低下するから、温度Ｔ1の高低に応じた画像の明度の変化が抑制される。すなわち、高温時の画像の明度を抑制するとともに低温時の画像の明度を維持することが可能である。また、発光素子Ｐに供給される電気エネルギが高いほど劣化が進行するという発光素子Ｐの特性を考慮すると、本形態によれば、高温時における発光素子Ｐの劣化が抑制（長寿命化）されるとも言える。
【００２１】
また、差分値ΔＴが閾値ＴＨを上回る（したがって温度Ｔ1は温度Ｔ2よりも高い）と判定部３４が判定した場合、制御回路３０は、関係Ｒ2として図示されるように、差分値ΔＴが閾値ＴＨ以下である場合（関係Ｒ1）と比較して、各発光素子Ｐに供給される駆動電流ＩDRのデューティ比Ｄが低くなるように駆動回路２０を制御する。したがって、第１温度センサ５１の検出した温度Ｔ1や画像データの指定する階調値に変化がない場合であっても、差分値ΔＴが閾値ＴＨを上回る状態のもとで単位期間Ｆ内に発光素子Ｐに供給される電気エネルギは、差分値ΔＴが閾値ＴＨ以下である状態のもとで単位期間Ｆ内に発光素子Ｐに供給される電気エネルギを下回る。
【００２２】
さらに詳述すると、差分値ΔＴが閾値ＴＨを上回る場合のデューティ比Ｄは、差分値ΔＴが閾値ＴＨ以下である場合のデューティ比Ｄと比較して10％だけ低い数値に設定される。例えば、温度Ｔ1が常温の範囲内（０℃〜40℃）の範囲内にある場合、差分値ΔＴが閾値ＴＨを上回るときのデューティ比Ｄは、差分値ΔＴが閾値ＴＨ以下であるときのディーティ比Ｄ（50％）を下回る40％に設定される。また、温度Ｔ1が80℃を上回る場合、差分値ΔＴが閾値ＴＨ以下であればデューティ比Ｄが10％に設定されるのに対し、差分値ΔＴが閾値ＴＨを上回ればデューティ比Ｄは０％に設定される。すなわち、温度Ｔ1が80℃以上で差分値ΔＴが閾値ＴＨを上回る場合には総ての発光素子Ｐの発光が強制的に停止する。
【００２３】
表示体１０の温度Ｔ1は温度Ｔ2と比較して上昇し易い。例えば、熱伝導性の高い銅線が形成された回路基板４０は表示体１０と比較して放熱し易いから、発光装置１００の電源の切断後に再び電源を投入した場合、表示体１０の温度Ｔ1は回路基板４０の周辺の温度Ｔ2と比較して高温となる。また、表示体１０の観察側の表面に太陽光が直接的に照射された場合、表示体１０の温度Ｔ1は、表示体１０の背面側に位置する回路基板４０の温度Ｔ2と比較して高温となる。さらに、速度などの情報を表示する計器盤（インパネ）として発光装置１００を自動車の車内に設置した場合、例えば夏季に車内の温度が上昇すると、車内に対面する表示体１０の温度Ｔ1は背面側の回路基板４０の温度Ｔ2と比較して高温となる。そして、表示体１０の温度Ｔ1が温度Ｔ2と比較して過度に上昇したうえに各発光素子Ｐの駆動による発熱が追加されると、表示体１０の要素（例えば円偏光板１４）が加熱に起因して劣化する可能性がある。本形態においては、差分値ΔＴが閾値ＴＨを上回るほどに温度Ｔ1が温度Ｔ2よりも高温となった場合にデューティ比Ｄの低下によって各発光素子Ｐの発熱が抑制されるから、加熱に起因した表示体１０の劣化を有効に防止できるという利点がある。
【００２４】
また、表示体１０の基板１２上に設置される第１温度センサ５１には材料および構造や設置の位置および方法に関して様々な制約があるから、第１温度センサ５１は、以上のような制約が少ない第２温度センサ５２と比較して低精度となり易い（すなわち温度Ｔ1の誤差は温度Ｔ2と比較して大きい）。すなわち、実際の表示体１０の温度は温度Ｔ1と比較して高温となる可能性がある。したがって、第１温度センサ５１が検出した温度Ｔ1のみに基づいて関係Ｒ1のもとでデューティ比Ｄを制御する構成においては、実際の表示体１０の温度が温度Ｔ1と比較して高温となることで表示体１０の各要素が劣化する可能性がある。本形態においては温度Ｔ1と温度Ｔ2との差分値ΔＴが閾値ＴＨを上回る場合に各発光素子Ｐに供給される電気エネルギが抑制されるから、第１温度センサ５１のみを利用した構成と比較して、加熱に起因した表示体１０の劣化を防止できるという利点がある。
【００２５】
一方、加熱に起因した表示体１０の劣化の防止のみに着目すれば、差分値ΔＴと閾値ＴＨとの大小に拘わらず、デューティ比Ｄを関係Ｒ2のもとで温度Ｔ1に応じて制御するという構成も考えられる。しかし、関係Ｒ2のもとでは温度Ｔ1が低い場合の各発光素子Ｐの輝度を確保することが困難である。本形態によれば、差分値ΔＴと閾値ＴＨとの大小に応じて温度Ｔ1とデューティ比Ｄとの関係が変化するから、差分値ΔＴが閾値ＴＨ以下である場合には各発光素子Ｐの輝度を充分に確保することができる。すなわち、本形態においては、高温時における表示体１０の損傷と低温時における輝度の確保とが両立されるという利点がある。
【００２６】
＜Ｂ：変形例＞
以上の形態には様々な変形を加えることができる。具体的な変形の態様を例示すれば以下の通りである。なお、以下の例示から２以上の態様を任意に選択して組合わせてもよい。
【００２７】
（１）変形例１  
以上の形態においては差分値ΔＴをひとつの閾値ＴＨと比較したが、差分値ΔＴを複数の閾値ＴＨと比較する構成も採用される。例えばいま、閾値ＴＨ1と閾値ＴＨ2（ＴＨ2＞ＴＨ1）を想定する。制御回路３０は、差分値ΔＴが閾値ＴＨ1以下である場合、駆動電流ＩDRが図３の関係Ｒ1を充足するように駆動回路２０を制御し、差分値ΔＴが閾値ＴＨ1から閾値ＴＨ2までの範囲内にある場合（ＴＨ1＜ΔＴ≦ＴＨ2）、駆動電流ＩDRが図３の関係Ｒ2を充足するように駆動回路２０を制御する。また、差分値ΔＴが閾値ＴＨ2を上回る場合、制御回路３０は、差分値ΔＴが閾値ＴＨ1から閾値ＴＨ2までの範囲内にある場合と比較して駆動電流ＩDRのデューティ比Ｄを減少させる。
【００２８】
（２）変形例２  
以上の形態においては第１温度センサ５１が検出した温度Ｔ1に応じて駆動電流ＩDR（デューティ比Ｄ）を制御したが、第２温度センサ５２が検出した温度Ｔ2に応じて駆動電流ＩDRを制御する構成も採用される。また、第２温度センサ５２が設置される位置は回路基板４０に限定されない。例えば、発光装置１００を収容する筐体に第２温度センサ５２を設置した構成も採用される。すなわち、表示体１０とは別の部材に第２温度センサ５２を設置した構成が好適である。
【００２９】
（３）変形例３  
温度Ｔ1と駆動電流ＩDRのデューティ比Ｄ（各発光素子Ｐに供給される電気エネルギ）との関係は以上の例示に限定されない。例えば、図３の例示では温度Ｔ1に応じてデューティ比Ｄを段階的に変化させたが、駆動電流ＩDRのデューティ比Ｄが温度Ｔ1に対して直線的に変化する構成も好適に採用される。
【００３０】
（４）変形例４  
以上の形態においては、温度Ｔ1に応じて駆動電流ＩDRのデューティ比Ｄ（あるいはパルス幅）を制御するとともに画像データに応じて駆動電流ＩDRの電流値Ａを制御したが、温度Ｔ1や画像データに応じた制御の対象は適宜に変更される。例えば、温度Ｔ1に応じて駆動電流ＩDRの電流値Ａを制御するとともに画像データに応じて駆動電流ＩDRのデューティ比Ｄを制御する構成も採用される。制御回路３０は、温度Ｔ1が高いほど駆動電流ＩDRの電流値Ａが低下し、かつ、差分値ΔＴが閾値ＴＨ1を上回る場合の電流値Ａが閾値ＴＨ1を下回る場合と比較して低くなるように駆動回路２０を制御する。また、温度Ｔ1および画像データに応じて駆動電流ＩDRのデューティ比Ｄおよび電流値Ａの一方のみを制御する構成も採用される。
【００３１】
また、以上の形態においては駆動電流ＩDRを直接的に制御したが、例えば温度Ｔ1に応じて画像データを補正することで、駆動電流ＩDRが温度Ｔ1や差分値ΔＴに対して図３の関係（Ｒ1，Ｒ2）を充足するように駆動電流ＩDRを間接的に制御してもよい。以上の例示のように、制御回路３０による直接的な制御の対象は本発明において任意であり、単位期間Ｆ内に各発光素子Ｐに供給される電気エネルギ（例えば発光期間ＰLにわたる電流値Ａの時間積分）が、制御回路３０による駆動回路２０の制御の結果として、温度Ｔ1および画像データに応じて変化する構成であればよい。
【００３２】
（５）変形例５  
有機発光ダイオード素子は発光素子Ｐの例示に過ぎない。例えば、無機ＥＬ素子やＬＥＤ（Light Emitting Diode）素子などの発光素子を利用した発光装置にも本発明は適用される。すなわち、発光素子は、電気エネルギの供給（例えば電流の供給や電圧の印加）で発光する素子と定義される。
【００３３】
＜Ｃ：応用例＞
次に、本発明に係る発光装置１００を利用した電子機器について説明する。図４ないし図６には、以上に説明した何れかの形態に係る発光装置１００を採用した電子機器の形態が図示されている。
【００３４】
図４は、発光装置１００を採用したモバイル型のパーソナルコンピュータの構成を示す斜視図である。パーソナルコンピュータ２０００は、各種の画像を表示する発光装置１００と、電源スイッチ２００１やキーボード２００２が設置された本体部２０１０とを具備する。
【００３５】
図５は、発光装置１００を適用した携帯電話機の構成を示す斜視図である。携帯電話機３０００は、複数の操作ボタン３００１およびスクロールボタン３００２と、各種の画像を表示する発光装置１００とを備える。スクロールボタン３００２を操作することによって、発光装置１００に表示される画面がスクロールされる。
【００３６】
図６は、発光装置１００を適用した携帯情報端末（ＰＤＡ：Personal Digital Assistants）の構成を示す斜視図である。携帯情報端末４０００は、複数の操作ボタン４００１および電源スイッチ４００２と、各種の画像を表示する発光装置１００とを備える。電源スイッチ４００２を操作すると、住所録やスケジュール帳といった様々な情報が発光装置１００に表示される。
【００３７】
なお、本発明に係る発光装置が適用される電子機器としては、図４から図６に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器、自動車のインパネ（計器盤）などが挙げられる。
【図面の簡単な説明】
【００３８】
【図１】本発明の実施形態に係る発光装置の構成を示すブロック図である。
【図２】発光素子に供給される駆動電流の波形を示すタイミングチャートである。
【図３】表示体から検出した温度と駆動電流のデューティ比との関係を示すグラフである。
【図４】本発明に係る電子機器の形態（パーソナルコンピュータ）を示す斜視図である。
【図５】本発明に係る電子機器の形態（携帯電話機）を示す斜視図である。
【図６】本発明に係る電子機器の形態（携帯情報端末）を示す斜視図である。
【符号の説明】
【００３９】
１００……発光装置、１０……表示体、１２……基板、１４……円偏光板、２０……駆動回路、２２……選択回路、２４……信号供給回路、３０……制御回路、３２……演算部、３４……判定部、４０……回路基板、５１……第１温度センサ、５２……第２温度センサ。
【図１】
2009025334.tif 000003
【図２】
2009025334.tif 000004
【図３】
2009025334.tif 000005
【図４】
2009025334.tif 000006
【図５】
2009025334.tif 000007
【図６】
2009025334.tif 000008